(57)【要約】【課題】  コンタクト端子にごみや異物などが付着し難く、ＩＣカードの接触端子とリーダライタのコンタクト端子が摺動磨滅することをなくした、開閉式ケース型ＩＣカード読み取り／書き込み装置を提供する。【解決手段】  本発明のケース型ＩＣカード読み取り／書き込み装置１は、接触型ＩＣカード２の読み取り書き込み装置であって、当該ＩＣカード２を納める矩形状ＩＣカード大の収容ケース部１１と、当該ＩＣカード２の接触端子２１と接触するコンタクト端子１３を有する蓋体１２とが、収容ケース部１１の一側縁に沿って開閉可能に結合していて、ＩＣカード２を収容ケース部に納めて蓋体１２を閉じた際に、当該ＩＣカードの接触端子と蓋体のコンタクト端子１３が接触するようにされていることを特徴とする。  蓋体１２はＩＣカード２の全面を覆うものでなく少なくとも接触端子２１部分を覆う程度の大きさであってもよい。【選択図】    図１
2006221214.tif 000002
【特許請求の範囲】
【請求項１】
接触型ＩＣカードの読み取り書き込み装置であって、当該ＩＣカードを納める矩形状ＩＣカード大の収容ケース部と、当該ＩＣカードの端子板と接触するコンタクト端子を有する蓋体とが、収容ケース部の一側縁に沿って開閉可能に結合していて、ＩＣカードを収容ケース部に納めて蓋体を閉じた際に、当該ＩＣカードの接触端子と蓋体のコンタクト端子が接触するようにされていることを特徴とするケース型ＩＣカード読み取り／書き込み装置。
【請求項２】
蓋体がＩＣカードの一部を覆うようにされていることを特徴とする請求項１記載のケース型ＩＣカード読み取り／書き込み装置。
【発明の詳細な説明】
【技術分野】
【０００１】
本発明は、ケース型ＩＣカード読み取り／書き込み装置に関する。詳しくは、従来の抜き差し式の接触ＩＣカードリーダライタとは異なり、蓋を開いてＩＣカードをケース部に装填して読み取りする方式のＩＣカード読み取り／書き込み装置に関する。
【背景技術】
【０００２】
近年、磁気カードに代り、高いセキュリティー性、大記憶容量の利点からＩＣカードが広範に使用されるようになってきている。それに伴いＩＣカードの読み取り／書き込み装置（リーダライタ装置）も各種のものが使用されている。
【０００３】
しかし、従来使用の接触式ＩＣカード読み取り／書き込み装置は、後述する先行文献のように、ＩＣカードを装置の挿入口から抜き差しして使用する方式が一般的である。
例えば、特許文献１は、矩形状の函体の一端にカード挿入口を有し、ＩＣカードを挿入した際に、当該函体内の揺動板が有する接触端子と、ＩＣカードの端子とが接触するＩＣカード用リーダライタを提案している。また、特許文献２は、同様に挿入口を有するリーダライタであって、ＩＣカードが接触する部分を導電体にしたＩＣカード用リーダライタを提案している。特許文献３は、指紋認証付ＩＣカードリーダライタ装置に関する。同文献は指紋認証用の指紋センサ部分には、シャッタが設けられていて開閉式にされているが、ＩＣカード自体は着脱自在に挿入する方式を採用している。
【０００４】
【特許文献１】実開昭６１−９９２６２号公報
【特許文献２】特開平１−２３８９９６号公報
【特許文献３】特開２００４−１０２４３１号公報
【０００５】
ＩＣカード読み取り／書き込み装置は、ＩＣカードが保持する情報をコンタクト端子を介して読み取りし、あるいは、ＩＣカードに情報を書き込みする装置である。
ＩＣカード読み取り／書き込み装置では、当該装置自体が読み取りした情報を表示したり、書き込みデータを演算して送信する装置もあるが、多くの場合、パーソナルコンピュータ（ＰＣ）等に接続し、データ処理はＰＣ側でされる場合が多い。したがって、この後者の場合のＩＣカード読み取り／書き込み装置は、コンタクト端子を介して所定のフォーマットでデータを中継することと、ＩＣカードに電力を供給することを行う。
【０００６】
一方、接触型ＩＣカードは従来から、図４に示すように、カード基体２２にＩＣモジュール埋設用凹部２５を掘削し、当該凹部内にＩＣモジュール２０を嵌合して装着した形態になっている（図４（Ｂ））。ＩＣモジュール２０は、図４（Ａ）または（Ｂ）のように、いわゆるＣＯＢ（Ｃｈｉｐ  Ｏｎ  Ｂｏａｒｄ）形態のＩＣモジュールである。その構成は、基板２０１の双方の面に銅箔層２０６を設け、その銅箔層２０６部分に、下地メッキとしてのＮｉメッキ層２０７を介して金メッキ層２０８を施し、基板２０１の一方の外面側を接触端子板２１０とし、他方の内面側を配線基板２２０として使用している。
接触端子板２１０は、Ｖｃｃ（電源）ライン、ＲＳＴ（リセット）ライン、ＣＬＫ（クロック）ライン、ＧＮＤ（グランド）ライン、Ｉ／Ｏライン、等用の各端子部２０２を持ち、前記各端子部２０２と基板２０１の他方の面に搭載したＩＣチップ（半導体素子）２０３の各端子と配線基板２２０との間をワイヤ２０４を介して電気的に接続し、ＩＣチップ側を樹脂２０５にて封止した構成となっている。なお、基板２０１の表裏の銅箔部の電気的な導通はスルーホール２０９を介してなされている。
【０００７】
ＩＣカード読み取り／書き込み装置は、上記ＩＣカードの各端子部２０２にコンタクトピンを接触させ、Ｖｃｃ（電源）、ＲＳＴ（リセット）信号を供給し、Ｉ／Ｏラインを通じてＩＣカードの内部メモリにアクセスし、情報（データ）の書き込みまたは読み出し処理を行う装置である。このＩＣカード読み取り／書き込み装置は、磁気カード用リーダライタの技術基盤延長上にあり、オートローディング、オートインジェクションなどモータを用いてＩＣカードを搬送する機構を有し、駆動系、搬送系などの複雑かつ精巧な部品が必要なことから高価な装置となっていた。
欧州に普及している、カードの端子部分のみを差し込みする半挿入式のものは大変安価であるが、その半面、取引データ書き込み途中で利用者の強制引き抜き（ティアリング）により、利用者とサービス提供者の取り引き整合がとれなくなる問題がある。
近年の読み取り／書き込み装置は機構の簡易化が図られているが、挿入口（スロット）へＩＣカードを抜き差しする挿抜型がなお一般的である。
【０００８】
図２、図３は、従来のＩＣカード読み取り／書き込み装置の使用状態を示す図である。  図２（Ａ）のように、コンパクトな形態の従来型ＩＣカード読み取り／書き込み装置１ｊは、ＩＣカード２の全体または少なくとも接触端子２１部分を納める形状にされていて矩形状等の外形を有している。厚みは、１０ｍｍ〜４０ｍｍ程度のものである。
ＩＣカード２を読み取り、または書き込みする際は、カード挿入口（スロット）４からＩＣカード２を差し込みする（図２（Ｂ））。図２の場合は、カード引き込み装置や押し出し機構を備えない手差し式装置である。ＩＣカードが奥まで挿入されるとコンタクト端子がカードの接触端子と接触し、読み取り／書き込みが行われる。ＩＣカード２が磁気テープ４付きの場合は磁気データの読み取り方向（カード表面に表示されている挿入方向を示す矢印）と同一にされている。
【０００９】
図３は、ＩＣカードが挿入された状態のＩＣカード読み取り／書き込み装置の断面を示す。図３のように、ＩＣカード読み取り／書き込み装置１ｊのコンタクト端子３にはＩＣカード２の接触端子２１に弾性的に接触する複数の金属コンタクトピン３１が設けられていて、ＩＣカード２が所定位置に挿入された状態で、ＩＣカード２の接触端子２１とコンタクトピン３１の良好な接触が確保される。
読み書き中にＩＣカード２が不用意に抜け出さないよう、あるいは抜き取られないようにロック機構が設けられている場合もある。
【発明の開示】
【発明が解決しようとする課題】
【００１０】
上記のような従来のＩＣカード抜き差し式の読み取り／書き込み装置では、ＩＣカードに付着している、ごみなどがコンタクト端子自体にも付着してしまい良好な接触が得られなくなり易い。その際には内部の清拭も困難な問題がある。また、ＩＣカードの接触端子と読み取り／書き込み装置のコンタクト端子が摺動摩擦することにより、ＩＣカードの接触端子と読み取り／書き込み装置のコンタクト端子の双方の磨滅が早い段階に生じ、また損傷を生じ易い問題がある。そこで、本発明ではこのような問題を生じない読み取り／書き込み装置を完成すべく研究してなされたものである。
【課題を解決するための手段】
【００１１】
上記課題を解決するための本発明の要旨は、接触型ＩＣカードの読み取り書き込み装置であって、当該ＩＣカードを納める矩形状ＩＣカード大の収容ケース部と、当該ＩＣカードの端子板と接触するコンタクト端子を有する蓋体とが、収容ケース部の一側縁に沿って開閉可能に結合していて、ＩＣカードを収容ケース部に納めて蓋体を閉じた際に、当該ＩＣカードの接触端子と蓋体のコンタクト端子が接触するようにされていることを特徴とするケース型ＩＣカード読み取り／書き込み装置、にある。
【発明の効果】
【００１２】
本発明のケース型ＩＣカード読み取り／書き込み装置は、装置へのＩＣカード着脱が収容ケース部にＩＣカードを納める動作により行われるので、抜き差し式のように接触端子間の接触摩擦が少なく、ＩＣカードと読み取り／書き込み装置双方の耐久性を高めることができる。また、読み取り／書き込み装置のコンタクト端子がごみ等により接触不良を生じることが少なく、万一接触不良を生じても内部の清拭を簡単に行うことができる。
【発明を実施するための最良の形態】
【００１３】
以下、本発明を図面を参照して説明する。図１は、本発明のケース型ＩＣカード読み取り／書き込み装置の実施例を示す図である。
【００１４】
本発明のケース型ＩＣカード読み取り／書き込み装置１は、図１のように、ＩＣカード２を納める矩形状ＩＣカード大の収容ケース部１１と、当該ＩＣカードの端子板と接触するコンタクト端子１３を有する蓋体１２とが、収容ケース部１１の一側縁に設けたヒンジ等の開閉機構により開閉可能に結合している。符号１４はヒンジ軸を示すが、ヒンジ以外の開閉機構であってもよい。また、ヒンジ軸１４は収容ケース部１１の長辺に沿って設けるように図示されているが短辺側であってもよい。
収容ケース部の大きさは、札入れサイズ（ＩＤ−１型）大のカードサイズであり、通常、８５．６×５４．０ｍｍである。カードの標準厚みは０．７６ｍｍとされている。
【００１５】
蓋体１２には、コンタクト端子１３が設けられ８本ないし８本未満のコンタクトピンがＩＣカード２の接触端子に接触するようにされている。通常は、Ｖｃｃ（電源）、ＲＳＴ（リセット）、ＣＬＫ（クロック）、ＧＮＤ（グランド）、Ｉ／Ｏの５端子のコンタクトピンが接続するようにされる。
コンタクトピン１３１は弾性金属材料により形成されているので、蓋体１２を閉じてロックした状態でＩＣカード２の接触端子２１との良好な接触が得られる。
【００１６】
ロック機構１５が、収容ケース部１１の前面に取り付けられている。ロック機構はＩＣカード２を収容する際は手前に倒れて逃げ蓋体１２の開閉を自由にする。ＩＣカード２を収容ケース部１１に装填し、蓋体１２を閉じた際には元の位置に戻り、コンタクト端子１３と接触端子２１が良好に接触するように蓋体１２を前面で押圧する機構となる。
接触端子２１のカードの上端縁（図１においてＡ辺）と左端縁（図１においてＢ辺）からの位置は規格により規定されている。従って、図示していないが、収容ケース部１１のＩＣカード２のＣ辺とＤ辺に対面する部分には、ＩＣカード２をＡ辺、Ｂ辺側に押圧する部材を設けてもよい。その場合には、カードサイズに多少の変動があってもコンタクト端子１３と接触端子２１の位置がずれる問題は生じない。また、読み取り／書き込み中であることを示すＬＥＤ表示１６等を設けてもよい。
【００１７】
本発明の変形実施形態として、蓋体１２はＩＣカード２の全面を覆う形態ではなく、コンタクト端子１３を有し、少なくともＩＣカードの接触端子２１部分を覆うＩＣカードの半分程度を覆う面積を有する蓋体の形態であっても構わない。
【００１８】
必要な回路やＵＳＢ変換ＩＣ等の部品は蓋体１２や収容ケース部１１内に納めることが必要となる。従って、図示のような薄型の形状に完成するものとは限らない。
また、図１には図示していないが、ＰＣ等に接続する場合はＵＳＢケーブルを接続し、ＵＳＢコネクタを用いて接続することになる。
【００１９】
以上のような本発明のケース型ＩＣカード読み取り／書き込み装置によれば、収容ケース部にＩＣカード２を装填して使用できるので、抜き差し式の従来装置のようにＩＣカードの接触端子とコンタクト端子間の摺動が生じないので、端子が磨滅することが少ない。  また、ＩＣカード２がごみや異物などを持ち込みコンタクト端子１３に付着させることがないので操作上不具合を生じることが少なくなる。また、ごみなどが付着しても容易に清掃できるので読み取り／書き込み装置の整備が容易になる。
【図面の簡単な説明】
【００２０】
【図１】本発明のケース型ＩＣカード読み取り／書き込み装置の実施例を示す図である。
【図２】従来のＩＣカード読み取り／書き込み装置の使用状態を示す図である。
【図３】ＩＣカードが挿入された状態の従来のＩＣカード読み取り／書き込み装置を示す断面図である。
【図４】ＩＣモジュールの平面とＩＣモジュールの埋め込まれたカード基体の断面を示す図である。
【符号の説明】
【００２１】
１    ケース型ＩＣカード読み取り／書き込み装置
２    ＩＣカード
３    コンタクト端子
４    カード挿入口
５    磁気ストライプ
１１    収容ケース部
１２    蓋体
１３    コンタクト端子
１４    ヒンジ軸
１５    ロック機構
２１    接触端子
【図１】
2006221214.tif 000003
【図２】
2006221214.tif 000004
【図３】
2006221214.tif 000005
【図４】
2006221214.tif 000006